(57)【要約】【課題】グレアを確実に低減することができるとともに、均一な照射面を得ることができる照明器具を提供する。【解決手段】コーン２６と反射板２２との間に設けた遮光部材２７が、コーン２６と反射板２２との間にある旋回台に当たる光を遮るので、旋回台に当たって反射した光が、グレアカット角度θよりも小さな角度で外部に照射されるのを防止することができ、確実にグレアカットを行うことができる。また、旋回台に当たって反射した反射光により照射面にムラが生じるのを防止するので、均一な照射面を得ることができる。【選択図】図１
2010170739.tif 000002
【特許請求の範囲】
【請求項１】
光源と、
前記光源からの光を配光制御する反射板と、
前記光源および前記反射板を保持する灯体と、
前記灯体を保持する器具本体と、
前記器具本体に設けられ前記光源からの光線を所定のグレアカット角度に規制するコーンと、を有する照明器具であって、
前記コーンを前記反射板から分離して設けるとともに、
前記コーンと前記反射板との間に、前記光源および前記反射板からの光を前記コーンに入射させない遮光部材を設けたことを特徴とする照明器具。
【請求項２】
前記遮光部材が、偏向パネルであることを特徴とする請求項１記載の照明器具。
【発明の詳細な説明】
【技術分野】
【０００１】
本発明は、光源および反射板からの光の照射範囲をコーンにより規制してグレアの低減を図る照明器具に関するものである。
【背景技術】
【０００２】
従来より、天井等に埋め込んで使用されるダウンライトにおいて、光源および反射板からの光の照射範囲をコーンにより規制して、グレアの低減が行われている（例えば特許文献１参照）。
【０００３】
図３に示すように、特許文献１に記載のダウンライト１００は、所定のグレアカット角度θで、所定の色、拡散・集束状態等に調整された光を照射するダウンライト本体１０１と、このダウンライト本体１０１を、天井等に形成した取付孔１０２内に取り付けるための取付具１０３を備えている。
【０００４】
ダウンライト本体１０１は、ダウンライト本体１０１の主要構成部分を成す基本構成ユニット１０４と、この基本構成ユニット１０４に取り付けられるコーン１０５、レンズ１０６、フィルター等の交換部品、並びに基本構成ユニット１０４に対して交換部品を取り付けるためのアダプタ１０７を備えている。
【０００５】
基本構成ユニット１０４は、カップ状の反射体１０８と、この反射体１０８の凹面側にランプ１０９を取り付けるためのソケット１１０を有する。そして、アダプタ１０７を介して、複数種類あるコーン１０５、レンズ１０６、フィルターやルーバ等より選択した、所定の部品を取り付けることで、所望の特性（グレアカット角度θ，光色，光の拡散，集束状態等）を得る。
【先行技術文献】
【特許文献】
【０００６】
【特許文献１】特開２００８−３４１８５号公報（第１図）
【発明の概要】
【発明が解決しようとする課題】
【０００７】
しかしながら、前述したダウンライト１００においては、内部に種々の部材を有しており、これらの内部構造に光が照射されると、反射光は複雑な様子を呈する。このため、例えば内部構造にランプ１０９からの光が当たって反射した場合に、グレアカット角度θよりも小さな角度で照射される場合がある。このような場合には、設定されたグレアカット角度θよりも外側に反射光がもれることになり、十分なグレアカットが行われないという問題があった。
また、内部構造に当たって反射した反射光が照射されることにより、照射面にムラが生じるという問題もある。
【０００８】
本発明は、従来の問題を解決するためになされたもので、グレアを確実に低減することができるとともに、均一な照射面を得ることができる照明器具を提供することを目的とする。
【課題を解決するための手段】
【０００９】
本発明の照明器具は、光源と、前記光源からの光を配光制御する反射板と、前記光源および前記反射板を保持する灯体と、前記灯体を保持する器具本体と、前記器具本体に設けられ前記光源からの光線を所定のグレアカット角度に規制するコーンと、を有する照明器具であって、前記コーンを前記反射板から分離して設けるとともに、前記コーンと前記反射板との間に、前記光源および前記反射板からの光を前記コーンに入射させない遮光部材を設けた構成を有している。
【００１０】
この構成により、コーンと反射板との間に設けた遮光部材が、コーンと反射板との間にある内部構造に当たって反射する光を遮るので、従来のように、内部構造に当たって反射した光が、グレアカット角度よりも小さな角度で外部に照射されるのを防止することができ、確実にグレアカットを行うことができる。また、内部構造に当たって反射した反射光により照射面にムラが生じるのを防止するので、均一な照射面を得ることができる。
【００１１】
また、本発明の照明器具は、前記遮光部材が、偏向パネルである構成を有している。
【００１２】
この構成により、入射した光を任意に設定したグレアカット角度よりも内側に透過させる偏向パネルを遮光部材として設けたので、内部構造に当たって反射した光が、グレアカット角度よりも小さな角度で外部に照射されるのを防止することができ、確実にグレアカットを行うことができる。
【発明の効果】
【００１３】
本発明は、コーンと反射板との間に設けた遮光部材が、コーンと反射板との間にある内部構造に当たる光を遮るので、内部構造に当たって反射した光が、グレアカット角度よりも小さな角度で外部に照射されるのを防止することができ、確実にグレアカットを行うことができる。また、内部構造に当たって反射した反射光により照射面にムラが生じるのを防止するので、均一な照射面を得ることができるという効果を有する照明器具を提供することができるものである。
【図面の簡単な説明】
【００１４】
【図１】本発明の第１実施形態にかかる照明器具を示す断面図
【図２】本発明の第２実施形態にかかる照明器具を示す断面図
【図３】従来の照明器具の断面図
【発明を実施するための形態】
【００１５】
（第１実施形態）
以下、本発明の第１実施形態にかかる照明器具について、図面を用いて説明する。
図１は本発明の第１実施形態にかかる照明器具を示す断面図である。
【００１６】
図１に示すように、本発明の第１実施形態にかかる照明器具としてのダウンライト１０は、例えば天井１１等の被取付部に設けられている開口１２に取り付けられて天井裏１３に収容され、下方へ照明光を照射するものである。
【００１７】
ダウンライト１０は、光源である高輝度ランプ２１（以後、「ランプ２１」という。）と、ランプ２１からの光線を反射して配光制御する反射板２２と、ランプ２１および反射板２２を保持する灯体２３を有する。灯体２３は、器具本体２４において内部構造を構成する水平方向へ旋回可能な旋回台２５に、上下方向へ回動可能に保持されており、照射方向が調整可能となっている。
なお、器具本体２４および旋回台２５等の内部構造は、光を反射しにくいように、黒色等に塗装されている。
【００１８】
器具本体２４の下側には、ランプ２１および反射板２２からの光線を所定の範囲に規制するコーン２６が設けられている。コーン２６はお椀を伏せたような形状をしており、内面は鏡面状に仕上げられている。コーン２６の上部開口２６１はできるだけ大きく開口して、照射面の照度が低下しないようにしている。さらに、コーン２６は、上部開口２６１から下部開口２６２へと、徐々に内径が大きくなっており、ランプ２１からの光線を所定のグレアカット角度θに規制する。
【００１９】
コーン２６と反射板２２とは分離して設けられており、コーン２６と反射板２２との間には旋回台２５が設けられている。旋回台２５の内側には、旋回台２５に照射されたランプ２１および反射板２２からの光を、反射してコーン２６に入射させないように遮光部材としてのパッキン２７が設けられている。パッキン２７は、中心側に平面的な立ち上げ部２７１を有しており、旋回台２５の中心側を覆っている。
【００２０】
従って、例えば、ランプ２１から照射された光線ＬＢ１は反射板２２で反射され、反射光ＬＢ２は、反射板２２とコーン２６との間の内部構造である旋回台２５を覆うパッキン２７に入射する。パッキン２７に入射した反射光ＬＢ２は、パッキン２７に吸収され、パッキン２７からの反射光ＬＢ３は殆どなくなるので、反射光ＬＢ３が意図しない方向（例えば、グレアカット角度θよりも小さな角度での照射）へ照射されるのを防止する。
【００２１】
以上、説明した本発明の第１実施形態にかかる照明器具１０によれば、コーン２６と反射板２２との間に設けたパッキン２７が、コーン２６と反射板２２との間にある旋回台２５等の内部構造に当たる光を吸収して遮るので、内部構造に当たって反射した光が、グレアカット角度θよりも小さな角度で外部に照射されるのを防止することができ、確実にグレアカットを行うことができる。また、従来問題となっていたように、内部構造に当たって反射した反射光により照射面にムラが生じるのを防止するので、均一な照射面を得ることができる。
【００２２】
（第２実施形態）
次に、本発明の第２実施形態にかかる照明器具について、図面を用いて説明する。
図２は本発明の第２実施形態にかかる照明器具を示す断面図である。なお、前述した第１実施形態にかかる照明器具と共通する部位には同じ符号を付して、重複する説明を省略することとする。
【００２３】
図２に示すように、第２実施形態にかかるダウンライト１０Ｂでは、コーン２６と反射板２２との間に設ける遮光部材として、コーン２６の上部開口２６１を覆う偏向パネル２８を設けた。偏向パネル２８は、入射してきた光を、任意に設定したグレアカット角度θよりも内側に屈折して透過させる。
【００２４】
従って、ランプ２１から照射された光線ＬＢ１は反射板２２で反射され、反射光ＬＢ２は、反射板２２とコーン２６との間の内部構造に当たって反射して、偏向パネル２８に入射する。偏向パネル２８に入射した光ＬＢ４は、偏向パネル２８において屈折して透過し、外部に照射される。なお、ランプ２１や反射板２２から偏向パネル２８に入射した光も、同様に、中心側へ屈折して照射される。
【００２５】
以上、説明した第２実施形態にかかる照明器具１０Ｂによれば、入射した光を任意に設定したグレアカット角度θよりも内側に透過させる偏向パネル２８を遮光部材として設けたので、内部構造に当たって反射した光、あるいは、ランプ２１や反射板２２から直接偏向パネル２８に入射した光が、グレアカット角度θよりも小さな角度で外部に照射されるのを防止することができ、確実にグレアカットを行うことができる。また、従来問題となっていたように、内部構造に当たって反射した反射光により照射面にムラが生じるのを防止するので、均一な照射面を得ることができる。
【００２６】
なお、本発明の照明器具は、前述した各実施形態に限定されるものでなく、適宜な変形，改良等が可能である。
例えば、前述した各実施形態において、内部構造として旋回台２５を例示したが、これに限るものではない。
【符号の説明】
【００２７】
１０  ダウンライト（照明器具）
２１  高輝度ランプ（光源）
２２  反射板
２３  灯体
２４  器具本体
２６  コーン
２７  パッキン（遮光部材）
２８  偏向パネル（遮光部材）
θ  グレアカット角度
【図１】
2010170739.tif 000003
【図２】
2010170739.tif 000004
【図３】
2010170739.tif 000005